(57)【要約】【課題】器具のカバーにカバー枠を取り付ける際の、組み立て性をよくし、カバー枠の取付けコストをさげる。【解決手段】器具カバー４００は、カバー１５０と、カバー１５０の裏面の周辺端部と係合するカバー押え部１２１と、外側に張り出し、ネジ１３０を挿入するネジ穴を設けた取付部１２２と、カバー１５０の略厚みでカバー押え部１２１と取付部１２２とを階段状に連結する連結部１２３とを有するカバー枠取付部材１２０と、カバー１５０の表面の周辺端部と係合するカバー受部１１２ａと、カバー１５０の裏側方向に向かって突出するようにネジ１３０を通す本体ネジ穴１１５を設けた本体固定部１１１ａと、カバー受部１１２ａから折り返し加工により形成される意匠部１１４ａとを有し、本体固定部１１１ａと意匠部１１４ａとの間にネジ１３０のねじ頭の高さ以上の隙間１２６を設けたカバー枠本体１１０ａとを備えた。【選択図】図４
2007258130.tif 000002
【特許請求の範囲】
【請求項１】
意匠面を有するとともに器具の一面を覆う器具カバーにおいて、
光を透過するカバーと、
前記カバーの前記意匠面に対する裏面の周辺端部と係合するカバー押え部と、前記カバーの外側に張り出し、ネジを挿入するネジ穴を設けた取付部と、前記カバーの周辺端部の略厚みで、前記カバー押え部と前記取付部とを階段状に連結する連結部とを有する金属平板の折り曲げ加工によって形成されたカバー枠取付部材と、
前記カバーの前記意匠面に対する表面の周辺端部と係合するカバー受部と、カバー受部から連続して前記カバーの外側に張り出し、前記カバーの厚み方向であり前記カバーの前記意匠面に対して裏側方向に向かって突出するように前記カバー枠取付部材のネジ穴を通るネジを通す本体ネジ穴を設けた本体固定部と、前記カバー受部から折り返し加工により形成され前記カバーの外側方向に張り出す意匠部とを有し、前記本体固定部と前記意匠部との間に前記ネジのねじ頭の高さ以上の隙間を設けたカバー枠本体と
を備えたことを特徴とする器具カバー。
【請求項２】
前記カバー枠本体は、
前記カバー受部と前記意匠部との折り返し加工部分の断面形状をＵ字形状としたこと
を特徴とする請求項１記載の器具カバー。
【請求項３】
前記本体ネジ穴は、
前記本体固定部を外辺からＬ字形状に切り欠いたものであり、切り欠いた部分の奥端に前記ネジが通るネジ固定部を有することを特徴とする請求項１乃至請求項２の何れかに記載の器具カバー。
【請求項４】
前記本体ネジ穴は、
前記本体固定部を外辺から弧状に切り欠いたものであり、切り欠いた部分の奥端に前記ネジが通るネジ固定部を有することを特徴とする請求項１乃至請求項２の何れかに記載の器具カバー。
【請求項５】
前記カバー枠本体は一辺に、隣接した２つの本体ネジ穴を有し、
一方の本体ネジ穴の奥端と、他方の隣接する本体ネジ穴の奥端とが対向するように、若しくは反対向きとなるように前記本体固定部を切り欠いたものであることを特徴とする請求項３乃至請求項４の何れかに記載の器具カバー。
【請求項６】
意匠面を有するとともに器具の一面を覆う器具カバーにおいておいて、
光を透過するカバーと、
前記カバーの前記意匠面に対する裏面の周辺端部と係合するカバー押え部と、前記カバーの外側に張り出し、ネジを挿入するネジ穴を設けた取付部と、前記カバーの周辺端部の略厚みで、前記カバー押え部と前記取付部とを階段状に連結する連結部とを有する金属平板の折り曲げ加工によって形成されたカバー枠取付部材と、
前記カバーの前記意匠面に対する表面の周辺端部と係合するカバー受部と、前記カバー受部から連続して前記カバーの外側に張り出し、前記カバーの厚み方向であり前記カバーの前記意匠面に対して裏側方向に向かって突出し前記カバー枠取付部材のネジ穴を通る雄ネジであるネジ部を設けた本体固定部とを有するカバー枠本体と
を備えたことを特徴とする器具カバー。
【請求項７】
意匠面を有するとともに器具の一面を覆う器具カバーにおいて、
光を透過するカバーと、
前記カバーの前記意匠面に対する裏面の周辺端部と係合するカバー押え部と、前記カバー押え部から連続して前記カバーの外側に張り出し、ネジを挿入するネジ穴を設けた取付部とを有するカバー枠取付部材と、
前記カバーの前記意匠面に対する表面の周辺端部と係合するカバー受部と、前記カバーの外側に張り出し、前記カバーの厚み方向であり前記カバーの前記意匠面に対して裏側方向に向かって突出するように前記カバー枠取付部材のネジ穴を通るネジを通す本体ネジ穴を設けた本体固定部と、前記カバーの周辺端部の略厚みで、前記カバー受部と前記本体固定部とを階段状に連結する本体連結部と、前記カバー受部から折り返し加工により形成され前記カバーの外側方向に張り出す意匠部とを有し、前記本体固定部と前記意匠部との間に前記ネジのねじ頭の高さ以上の隙間を設けたカバー枠本体と
を備えたことを特徴とする器具カバー。
【請求項８】
意匠面を有するとともに器具の一面を覆う器具カバーにおいて、
光を透過するカバーと、
前記カバーの前記意匠面に対する裏面の周辺端部と係合するカバー押え部と、前記カバー押え部から連続して前記カバーの外側に張り出し、ネジを挿入するネジ穴を設けた取付部とを有するカバー枠取付部材と、
前記カバーの前期意匠面に対する表面の周辺端部と係合するカバー受部と、前記カバーの外側に張り出し、前記カバーの厚み方向であり前記意匠面に対して裏側方向に向かって突出するように前記カバー枠取付部材のネジ穴を通る雄ネジであるネジ部を設けた本体固定部とを有するカバー枠本体と、
前記カバーの周辺端部の略厚みで、前記ネジを通す通し穴を有し、前記取付部と前記本体固定部との間に設置されるスペーサーと
を備えたことを特徴とする器具カバー。
【請求項９】
意匠面を有するとともに器具の一面を覆う器具カバーにおいて、
光を透過するカバーと、
前記カバーの前記意匠面に対する裏面の周辺端部と係合するカバー押え部と、前記カバー押え部から連続して前記カバーの外側に張り出し、ネジを挿入するネジ穴を設けた取付部と、前記カバー周辺端部の略厚みで前記取付部の外辺を折り曲げた支持板とを有するカバー枠取付部材と、
前記カバーの前記意匠面に対する表面の周辺端部と係合するカバー受部と、前記カバーの外側に張り出し、前記カバーの厚み方向であり前記意匠面に対して裏側方向に向かって突出するように前記カバー枠取付部材のネジ穴を通る雄ネジであるネジ部を設けた本体固定部とを有するカバー枠本体と
を備えたことを特徴とする器具カバー。
【請求項１０】
意匠面を有するとともに器具の一面を覆う器具カバーにおいて、
光を透過するカバーと
前記カバーの前記意匠面に対する裏面の周辺端部と係合するカバー押え部と、前記カバーの外側に張り出し、ネジを挿入するネジ穴を設けた取付部と、前記カバーの周辺端部の略厚みで、前記カバー押え部と前記取付部とを階段状に連結する連結部とを有する金属平板の折り曲げ加工によって形成されたカバー枠取付部材と、
前記カバーの前記意匠面に対する表面の周辺端部と係合するカバー受部と、前記カバー受部から連続して前記カバーの外側に張り出し、前記カバーの厚み方向であり前記意匠面に対して裏側方向に向かって突出し前記カバー枠取付部材のネジ穴を通る雄ネジであるネジ部を設けた本体固定部と、前記カバー受部から折り返し加工により形成され前記カバーの外側方向に張り出す意匠部とを有するカバー枠本体と
を備えたことを特徴とする器具カバー。
【請求項１１】
前記カバー枠本体に係止部を有する請求項１乃至請求項１０の何れかに記載の器具カバーと、
前記係止部を係止する係止受け部を有する器具本体と
を備えることを特徴とする照明器具。
【発明の詳細な説明】
【技術分野】
【０００１】
本発明は、例えば、照明器具の一面を覆う器具カバーに関するものであり、特に、器具カバーの周囲に取付けるカバー枠の取付構造に関するものである。
【背景技術】
【０００２】
天井に取り付けられ、器具の底面に覆われたカバー（又はルーバ）を通じて、蛍光灯等からの光を下方に照らす器具がある。照明器具底面のカバーは照明器具から取り外しが可能となっており、カバーの周辺にカバーと天井面との間にできる隙間を埋めるためにカバー枠が取り付けられる。カバー枠が取り付けられたカバーを器具カバーと呼ぶ。カバーの周辺にカバー枠を取り付ける方法として、例えば、特許文献１に枠（カバー枠本体）と枠押さえ（カバー枠取付部材）とを器具の側面方向からネジにより固定する構造が記載されている。
【特許文献１】特開２００５−１６６６２８号公報
【発明の開示】
【発明が解決しようとする課題】
【０００３】
しかし、従来の取付構造や特許文献１で示されている取付構造では、以下に示すような課題があった。
・従来のカバーやルーバ等のオプションの枠構造は組立て作業が難しいため、作業コストが高い。
・多角形の場合は枠を辺の数だけ組み合わせなければならないので、枠とカバー又はルーバを押さえる金具の固定が容易ではない。
・枠と枠押さえの固定はカバー横方向からネジにより固定するため、ネジの固定作業が不安定で斜めにネジが固定され易い。
・枠押さえは枠の外方向からネジを締めるため、ネジを締める際にしっかりと固定していなければずれてしまう。
・枠と枠押さえの間に隙間があき易く、光もれの原因となる。
【０００４】
本発明は、例えば上記のような課題を解決するためになされたものであり、器具カバーにおけるカバーとカバー枠との隙間を少なくし、さらに、組み立て性のよいカバー枠とすること及びカバー枠の取付けコストを下げることを目的とする。
【課題を解決するための手段】
【０００５】
本発明に係る器具カバーは、
意匠面を有するとともに器具の一面を覆う器具カバーにおいて、
光を透過するカバーと、
前記カバーの前記意匠面に対する裏面の周辺端部と係合するカバー押え部と、前記カバーの外側に張り出し、ネジを挿入するネジ穴を設けた取付部と、前記カバーの周辺端部の略厚みで、前記カバー押え部と前記取付部とを階段状に連結する連結部とを有する金属平板の折り曲げ加工によって形成されたカバー枠取付部材と、
前記カバーの前記意匠面に対する表面の周辺端部と係合するカバー受部と、カバー受部から連続して前記カバーの外側に張り出し、前記カバーの厚み方向であり前記カバーの前記意匠面に対して裏側方向に向かって突出するように前記カバー枠取付部材のネジ穴を通るネジを通す本体ネジ穴を設けた本体固定部と、前記カバー受部から折り返し加工により形成され前記カバーの外側方向に張り出す意匠部とを有し、前記本体固定部と前記意匠部との間に前記ネジのねじ頭の高さ以上の隙間を設けたカバー枠本体とを備えたことを特徴とする。
【発明の効果】
【０００６】
本発明に係る器具カバーによれば、カバーの厚み方向、即ち、カバーの意匠面である表面から裏面へ突出するよう取り付けたネジにより、カバー枠をカバーに取り付けるため、器具カバーの裏面方向からネジ締めを行うことができ、組立て時の作業性がよくなり、作業コストを低くするという効果を奏する。
さらに、枠（カバー枠本体）と枠押さえ（カバー枠取付部）を器具カバーの裏面方向からネジにより固定するため、ネジが斜めに固定されるのを防止するという効果を奏する。
また、さらに枠（カバー枠本体）と枠押さえ（カバー枠取付部）の間に隙間があくこと防ぎ、カバーとカバー枠との隙間を少なくできるため、光もれを減少させるという効果を奏する。
【発明を実施するための最良の形態】
【０００７】
実施の形態１．
実施の形態１について、図１〜図６を用いて以下に説明する。
照明器具の一面を覆う器具カバーの例を図１に示す。図１は、カバー及びカバー枠を備える器具カバー４００が取り付けられた照明器具３００（器具の一例）の例を示す斜視図である。図１（ａ）に示す照明器具３００は、直管形オプション付き器具であり、図１（ｂ）に示す照明器具３００は、スクエア形オプション付き器具、図１（ｃ）に示す照明器具３００は円形型オプション付き器具である。
図１で示した照明器具３００は、例えば、天井に取り付けられる器具であり、器具本体２００と、カバー１５０とカバー枠１００をを備えた器具カバー４００から構成されている。器具本体２００の内部には、蛍光灯などの照明装置が設置されており、器具本体２００の底面には、器具カバー４００が取り付けられている。器具カバー４００のカバー１５０は照明器具３００の一面（例えば、器具本体２００の底面）を覆うオプション部材であり、例えば、透明又は半透明でできた光を透過する板であっても構わないし、蛍光灯等の一方向からの光を遮断するルーバであっても構わない。カバー枠１００は、カバー１５０の周囲に取り付けられた枠であり、照明器具３００が天井に取り付けられた際、天井とカバーとの間にできる隙間を埋めるものであり、照明器具からの光漏れを防ぐものである。
図１で示した照明器具３００は、カバー１５０の周囲に、以下の実施の形態で説明するカバー枠１００を取り付けた器具カバー４００を取り付けたことを特徴とする器具である。カバー枠１００には図示しない係止部４０１が備えられており、また、器具本体２００には、図示しない係止部４０１を係止する係止受け部を備えている。係止部４０１を係止受け部４０２で係止することにより、器具カバー４００を器具本体２００に固定する。器具カバー４００を器具本体２００に固定方法の詳細については後述する。
【０００８】
器具カバー４００について図２を用いて説明する。図２は、本実施の形態に係る器具カバー４００の裏面を示した図であり、器具カバー４００を裏側から見た場合の平面図である。。裏面とは、照明器具３００を天井に取り付けた際、人の目で見える部分を意匠面とし、その意匠面に対して反対側の面のこという。また、照明器具３００に器具カバー４００を取り付けた際、内側にある面でもある。器具カバー４００は、カバー１５０と、カバー枠１００とを備えている。カバー１５０は、例えば、光を透過する透明若しくは半透明の板状のものである。カバー枠１００は、カバー１５０の枠であり、図２に示すよう、カバー枠１００は、カバー１５０の周囲４辺に、即ち、カバー１５０を取り囲むように環状に取り付けられている。カバー枠１００は、カバー枠本体１１０ａと、カバー枠取付部材１２０を有しており、これらでカバー１５０を挟み込み、ネジ１３０で締め付けることにより、カバー１５０に取り付け、固定される。
【０００９】
次に、本実施の形態にかかる器具カバー４００のカバー枠１００について説明する。
図３は、本実施の形態１に係る器具カバー４００のカバー枠１００をカバー１５０に取り付ける構造を示す分解斜視図であり、図２で示した器具カバー４００のカバー１５０の一辺に取り付けたカバー枠１００の一部を拡大した図である。図４は器具カバー４００の一部を図３に示すＣ方向から見た側面図である。
【００１０】
カバー枠１００は、図示しない天井との隙間を防ぐカバー枠本体１１０ａと、カバー枠本体１１０ａと係合することによりカバー１５０を挟み込むカバー枠取付部材１２０を備えている。
カバー枠本体１１０ａは、ネジ１３０を通すためのネジ穴である本体ネジ穴１１５を有し、また、カバー枠取付部材１２０は、ネジ１３０を通すためのネジ穴１２４を有している。雄ネジであるネジ１３０を、カバー１５０に対し略垂直にカバー１５０の厚み方向であり、かつカバー１５０の意匠面１５２に対して裏側方向（Ｄ方向）に向かって突出するように本体ネジ穴１１５とネジ穴１２４を通し、雌ネジであるナット１３１で締め固め、カバー１５０の周囲をカバー枠本体１１０ａのカバー受部１１２ａとカバー枠取付部材１２０のカバー押え部１２１とで挟持することにより、カバー１５０の周囲にカバー枠１００を取り付ける。
【００１１】
次に、、カバー枠本体１１０ａついて説明する。
カバー枠本体１１０ａは、カバー１５０に取り付けられ、図示しない天井面とカバー１５０との隙間を隠すために設けられる部品である。天井に取り付けられた際、人から見える部分を有しており、カバー１５０の表面とあわせて、人から見える部分を意匠面１５２とする（図４で太線で示した部分）。カバー枠本体１１０ａは、例えば、一枚の板（例えば金属平板）の中央を打ち抜いてその内側を折り曲げ加工することにより作成する。本実施の形態に係るカバー枠本体１１０ａは、カバー枠取付部材１２０と係合する本体固定部１１１ａ、カバー１５０の意匠面１５２に対する表面の周辺端部と係合するカバー受部１１２ａ、本体固定部１１１ａとカバー受部１１２ａを覆い被さるように下側（Ａ方向）に設けられた意匠部１１４ａを有する。
意匠部１１４ａは、カバー受部１１２ａから折り返し加工により形成され、さらに、テーパー部１０９を有し、カバー１５０の外側（Ｂ方向）に向かって張り出すように備え付けられている。テーパー部１０９は、本体固定部１１１ａより外側にあり、テーパー部１０９は、テーパー部の端部が天井面に触れるように傾斜している（例えば意匠部１１４ａとテーパー部１０９との角度θが９０度から１８０度の間となるよう、折り曲げる。）。意匠部１１４ａとカバー受部１１２ａとは折り返し部１１３により連結されており、本体固定部１１１ａと意匠部１１４ａの間には隙間１２６があくように備え付けられている。本体固定部１１１ａと意匠部１１４ａとの隙間１２６の距離Ｈ１は、ネジ１３０のねじ頭の高さＨ２以上の距離があるように設置されている。また、ネジ１３０を隙間１２６に入れるため、本体固定部１１１ａの端部と、テーパー部１０９として折り曲げた部分との距離Ｈ７は、ネジ１３０のねじ頭の幅Ｈ６よりも大きいことが望ましい（Ｈ７＞Ｈ６）。意匠部１１４ａ（テーパー部１０９）を設けることにより、照明器具３００が天井に取り付けられた場合、ネジ１３０のねじ頭を隠すという効果がある。
【００１２】
本実施の形態では、カバー受部１１２ａと意匠部１１４ａを連結する折り返し部１１３の断面形状は、Ｕ字形状（Ｃ字形状）に折り曲げたものとなっており、丸みをおびた形状をしている。この折り返し部１１３の断面形状は一例であり、ねじ頭を挿入する隙間１２６をあけることができれば、コの字形状でも構わないし、Ｖ字形状であっても構わない。カバー枠本体１１０ａとカバー枠取付部材１２０の固定用のネジ１３０のねじ頭が入り込む分、隙間１２６をあけることができれば、他の形状でも構わない。また、テーパー部の取付角度θは、９０度でもよいし、９０度以下にしても構わない。
【００１３】
次に、カバー枠取付部材１２０について説明する。
カバー枠取付部材１２０は、カバー枠本体１１０ａをカバー１５０に固定するための金具である。カバー枠取付部材１２０は、カバー１５０の意匠面１５２に対する裏面の周辺端部と係合するカバー押え部１２１と、カバー枠本体１１０ａと係合すし、カバー１５０の外側に張り出し、ネジを挿入するネジ穴１２４を設けた取付部１２２と、カバー押え部１２１と取付部１２２とを階段状（Ｚ字状）に連結する連結部１２３を有する。カバー枠取付部材１２０は一枚の板（例えば金属平板）を折り曲げ加工により作成されている。連結部１２３の長さ（Ｌ４）は、カバー１５０の厚み（Ｌ５）と略同じであるか、もしくは緩衝材１５１の厚み分長い。緩衝材１５１を設けない場合、連結部１２３の長さ（Ｌ４）は、カバー１５０の厚み（Ｌ５）となるのが望ましい。カバー枠取付部材１２０は、一枚の板を折り曲げ加工することにより作成しており、カバー押え部１２１と連結部１２３とを略９０度、さらに、連結部１２３と取付部１２２とを反対に略９０度折り曲げることにより作成する。すなわち、カバー枠取付部材１２０の断面形状は、階段状（Ｚ字形状）の断面となる。カバー枠取付部材１２０は、一枚の板をＺ字形状（階段状）に曲げ、カバー枠本体１１０ａを固定するためのネジ穴１２４を設けたものである。
また、カバー枠取付部材１２０は、カバー枠本体１１０ａの一辺に対し２以上、複数用いても構わない。また、カバー１５０の一辺の長さＬ１とカバー枠本体１１０ａの一辺の長さＬ２とは同じ長さであるが、カバー枠取付部材１２０の長辺方向の長さＬ３は、カバー枠本体の一辺の長さＬ２と同じであるか、それ以下でも構わない。即ち、Ｌ１＝Ｌ２≧Ｌ３であっても構わない。
【００１４】
取付部１２２は、カバー枠本体１１０ａと係合する部分であり、ネジ穴１２４が設けられている。ネジ穴１２４とカバー枠本体１１０ａに取り付けられた本体ネジ穴１１５とをあわせ、ネジ１３０をカバー１５０の厚み方向、即ち、カバーの裏側から表側（下側から上側、Ｄ方向）に通し、ナット１３１で締め付けることにより、カバー押え部１２１とカバー受部１１２ａとでカバー１５０の周囲を挟み込み、カバー枠１００を固定する。
【００１５】
尚、図３、図４において、カバー１５０とカバー枠１００が係合する部分に緩衝材１５１が取付けられている。緩衝材１５１は、例えば、弾力性のあるゴム等の材質でできたものであり、確実にカバー１５０をカバー枠１００で挟み込み固定するためのものである。また、カバー１５０とカバー枠１００との隙間を無くし、照明器具内部からの蛍光灯の光漏れを防ぐ効果もある。緩衝材１５１はカバー１５０の周囲に取り付けられ、図４に示すように断面形状はコの字形状となる。カバー枠１００のみで固定、挟持できる場合は、特に緩衝材１５１は無くても構わない。
【００１６】
次に、本体ネジ穴１１５の形状について図５を用いて説明する。
図５（ａ）〜（ｃ）は本体ネジ穴１１５の平面形状の一例を示す図でありカバー枠本体１１０ａの平面図である。
本実施の形態の本体ネジ穴１１５は、カバー枠本体１１０ａの両端（付近）にそれぞれ設置されている。一端（左側）の本体ネジ穴を本体ネジ穴１１５ａとし、他端（右側）の本体ネジ穴を本体ネジ穴１１５ｂとする。本体ネジ穴１１５は、カバー枠本体１１０ａに鍵穴加工を施して作成したものである。図５（ａ）のカバー枠本体１１０ａの例では、本体ネジ穴１１５は本体固定部１１１ａを外辺からＬ字形状に切り欠いて作成したものであり、Ｌ字形状に切り欠いた部分の手前（辺側部分）にネジ１３０のネジ部１１７を通過させるネジ通過部１１９と奥端（先端）部分にネジ１３０のネジ部１１７を固定するネジ固定部１１６を有する。本体固定部１１１ａを切り欠いた部分より、ネジ部１１７を垂直に立てた状態で、ネジ通過部１１９を通過させ、本体ネジ穴１１５ａもしくは本体ネジ穴１１５ｂの奥端であるネジ固定部１１６までネジ１３０をスライドさせる。本体ネジ穴１１５ａおよび本体ネジ穴１１５ｂをＬ字形状としたのは、ナット１３１による締め付けが緩んだ場合、カバー枠本体１１０ａがずれる、若しくはカバー１５０からカバー枠１００が外れるのを防止するためである。
【００１７】
さらに、本体ネジ穴１１５の奥端は、隣接する他方の本体ネジ穴１１５の奥端とカバー枠本体１１０ａの中央方向に向かって対向するように設けられている。即ち、図５（ａ）の例では一端の本体ネジ穴１１５ａの形状がＬ字形状であれば、他方の本体ネジ穴１１５ｂの形状は左右逆さまにした逆Ｌ字形状として切り欠くことにより作成する。
隣接する本体ネジ穴１１５の奥端（ネジ固定部１１６）を対向して設けること（鍵穴方向を同じ向きにしないこと）により、ネジ１３０が緩んで長辺方向（左右方向、Ｅ方向、Ｆ方向）にカバー枠本体１１０及びカバー枠取付部材１２０、即ちカバー枠１００がずれること（はずれること）を防ぐ効果を奏する。
【００１８】
本体ネジ穴１１５の形状は奥端部分が、隣接する他の本体ネジ穴１１５の奥端部分と反対向きであればよく、例えば、図５（ｂ）に示すように、一端の本体ネジ穴１１５ａの形状が逆Ｌ字形状（奥端をＥ方向とする形状）であれば、他端の本体ネジ穴１１５ｂの形状はＬ字形状（奥端をＦ方向とする形状）としても構わない。この場合もネジ１３０が緩むことによりカバー枠１００が長辺方向（左右方向、Ｅ方向、Ｆ方向）にずれることを防ぐ効果を奏する。
【００１９】
また、図５（ｃ）のように、本体ネジ穴１１５の形状を弧状としても構わない。この場合も隣接する本体ネジ穴１１５の奥端を対向して設け、同じ向きにしない。本体ネジ穴１１５の形状を弧状とすることにより、Ｌ字形状とした場合に比べ、ネジ１３０を挿入する際、方向転換しないため、なめらかに挿入することができ、組み立て性が向上するという効果を奏する。
【００２０】
次に、カバー枠１００をカバー１５０に取り付ける方法（組み立て方法）について、図６を用いて説明する。図６は、カバー枠１００をカバー１５０に取り付ける際の組立方法を示す図であり、器具カバー４００の一部を拡大した図である。図６（ａ）は、カバー枠１００を取り付ける前の状態の分解斜視図であり、図６（ｂ）は取り付けた後の斜視図である。
【００２１】
まず、最初にカバー１５０の意匠面１５２に対する表面の周辺端部とカバー枠本体１１０ａのカバー受部１１２ａとを係合する。
次に、ネジ１３０のネジ部１１７を上方向（カバー１５０の意匠面１５２に対して裏側方向、表面から裏面に向かう方向、Ｄ方向）にした状態で、ネジ１３０のねじ頭を本体固定部１１１ａと意匠部１１４ａの間の隙間１２６に入れ、ネジ１３０を本体固定部の外辺から本体ネジ穴１１５に挿入する。
そして、ネジ１３０は本体ネジ穴１１５の奥端（ネジ固定部１１６）までスライド（移動）させる。隙間１２６の高さＨ１は、取付部１２２と意匠部１１４ａとの距離（高さ）Ｈ４よりも小さく、またネジ１３０の長さよりも小さい。即ち、Ｈ１＜Ｈ４＜Ｈ３の関係がある。ここで、ネジ１３０をはなすとねじ頭が意匠部１１４ａの裏面に落ちるが、ネジ１３０の長さＨ３は、Ｈ４よりも大きい（Ｈ３＞Ｈ４：図４参照）ので、ネジ部１１７は、本体ネジ穴１１５から突き出ている。
次に、ネジ１３０のネジ部１１７をカバー枠取付部材１２０のネジ穴１２４に通し、カバー枠取付部材１２０をカバー１５０とカバー枠本体１１０ａと係合させる。ここでも、ネジ１３０の長さＨ３は、Ｈ４よりも大きい（Ｈ３＞Ｈ４）ので、ネジ部１１７は、ネジ穴１２４から突き出ている。
最後に、ナット１３１をネジ１３０のネジ部１１７に挿入し、締め固めることにより、ねじ頭が意匠部１１４ａの裏面をはなれ、Ｄ方向に上昇し、カバー枠本体１１０とカバー枠取付部材１２０とでカバー１５０を挟み込み、カバー枠１００をカバー１５０に固定する。
【００２２】
ネジ１３０のネジ部１１７の長さ（Ｈ３−Ｈ２）は、本体固定部１１１ａと取付部１２２を通り、ナット１３１で締め固めることから、本体固定部１１１ａと取付部１２２との厚み（Ｈ４−Ｈ１）とナット１３１の高さＨ５とを加えた長さよりも長い。即ち、（Ｈ３−Ｈ２）＞（Ｈ４−Ｈ１＋Ｈ５）の関係がある。
【００２３】
本実施の形態に係る器具カバー４００の構成要素は、カバー１５０、カバー枠本体１１０ａ、カバー枠取付部材１２０、これらを固定するネジ１３０とナット１３１である。
カバー枠本体１１０ａは、Ｕ字形状又はコの字形状に曲げ、カバー枠本体１１０ａとカバー枠取付部材１２０の固定用のネジ１３０が入りこむ分、隙間１２６をあける。カバー枠本体１１０ａには固定用のネジ１３０をスライドさせるため鍵穴加工を施す。
鍵穴加工は、カバー枠本体１１０ａの両端（付近）に施すが、ネジ１３０が緩んでカバー１５０やカバー枠取付部材１２０がずれるのを防止するため、鍵穴方向を同じ向きにしない。
カバー枠取付部材１２０は、断面がＺ字形状にとなるよう折り曲げ加工を行い、カバー枠本体１１０ａと固定するためのネジ穴１２４を設ける。
【００２４】
組立方法は、まず、カバー枠本体１１０ａの鍵穴（本体ネジ穴１１５）にネジ１３０を通す。次に、カバー枠本体１１０ａにカバー１５０またはルーバを置く。次にカバー枠取付部材１２０のネジ穴１２４をカバー枠本体１１０ａに取付けたネジ１３０に合わせ置く。最後にナット１３１をかぶせ締める。
【００２５】
即ち、本実施の形態にかかるカバー枠１００の取り付け方法は、
器具の一面を覆う器具カバー４００のカバー１５０の周辺にカバー枠１００を取付ける取付方法において、
ネジ１３０を、カバー１５０の厚み方向に対して略平行となる状態で、本体ネジ穴１１５の切り欠いた先端までスライドさせるネジ取付ステップと、
カバー枠取付部材１２０のネジ穴１２４にネジ１３０を挿入し、ナット１３１で締め付けることにより、カバー枠本体１１０ａとカバー枠取付部材１２０とで前カバー１５０を挟持するカバー枠固定ステップと
を有することを特徴とする。
【００２６】
本実施の形態にかかる器具カバー４００は、カバー１５０にカバー枠１００を取付ける際、ネジ１３０のネジ部１１７をカバー１５０の面に対し略垂直方向に設置しカバー１５０の裏面からナットを締め固める構造であるため、器具カバー４００の裏面（意匠面に対する反対側）からの組立作業を行うことができ、作業性が向上するという効果を奏する。また、器具カバー４００を裏面から見た場合、ネジ穴１２４等が見えることから、ネジ１３０の締め忘れや、ネジの欠品が一目でわかるという効果を奏する。
また、ネジ穴１２４の形状をＬ字形状とし、隣接するネジ穴１２４の奥端を対向に、又は反対向きにするため、即ち、鍵穴方向を同じ向きにしないため、ネジ１３０が緩んでカバー１５０やカバー枠１００がずれるのを防止するという効果を奏する。
また、意匠部１１４ａ（テーパー部１０９）を設けてネジ１３０のねじ頭を隠しているため、照明器具３００を天井に取付けた際に、意匠面にネジ頭が出ることはなく、デザイン性が損なわれることもない。
【００２７】
実施の形態２．
実施の形態２について、図７を用いて説明する。図７は、実施の形態２に係る器具カバー４００の構造を示す分解斜視図である。
【００２８】
実施の形態２に係る器具カバー４００について説明する。実施の形態１と同じ部分については説明を省略し、異なる部分のみ説明する。
実施の形態２に係る器具カバー４００はカバー１５０とカバー枠１００とで構成されており、カバー枠１００は実施の形態１で説明したカバー枠と同様、カバー枠本体１１０ｂとカバー枠取付部材１２０とを有している。カバー枠取付部材１２０の形状は、実施の形態１のカバー枠取付部材１２０と同様であるのでここでは説明を省略する。
カバー枠本体１１０ｂは、機能は実施の形態１のカバー枠本体１１０ａと同様であるが、意匠部１１４ａや、本体ネジ穴１２６が省略されていることが異なる。その代わり、本体固定部１１１ｂに雄ネジであるネジ部１１７をカバー枠本体１１０ｂの面に対し垂直に裏側方向（Ｄ方向）にして設置している。即ち、カバー枠本体１１０ｂは、本体固定部１１１ｂにカバー１５０の厚み方向でありカバー１５０の意匠面１５２に対して裏側方向に向かって突出したネジ部１１７を設置している。これは、実施の形態１におけるネジ１３０のネジ部１１７がカバー枠本体１１０ｂに固定されたものであるともいえる。
【００２９】
実施の形態２にかかる器具カバー４００の組立方法について説明する。
まず、最初にカバー１５０の意匠面１５２に対する表面の周囲端部とカバー枠本体１１０ｂのカバー受部１１２ｂとを係合する。
次に、ネジ部１１７をカバー枠取付部材１２０のネジ穴１２４に通し、カバー枠取付部材１２０をカバー１５０の意匠面１５２に対する裏面の周囲端部とカバー枠本体１１０ｂとに係合させる。
最後に、ナット１３１をネジ部１１７に挿入し、締め固めることにより、カバー枠本体１１０ｂとカバー枠取付部材１２０とでカバー１５０を挟み込み、カバー枠１００をカバー１５０に固定する。
【００３０】
即ち、以下の組立方法によりカバー枠１００をカバー１５０に取付ける。
１．枠（カバー枠本体１１０ｂ）に直にボルト（ネジ部１１７）を立てて取付ける。
２．カバー１５０（又はルーバ）を枠に置く。
３．枠押え（カバー枠取付部材１２０）のネジ穴１２４を枠のボルトに合わせ置く。
４．ナット１３１をかぶせ締める。
【００３１】
本実施の形態の器具カバー４００は、カバー枠１００をカバー１５０に取付ける際、ネジ部１１７をカバー１５０の面に対し垂直方向（カバーの厚み方向、Ｄ方向）に設置し、器具カバー４００の裏面（意匠面１５２に対して反対の面）からナット１３１を締め固める構造であるため、器具カバー４００の裏面方向からの組立作業を行うことができ、作業性が向上するという効果を奏する。また、カバー枠本体１１０ｂに直にネジ部１１７が取付けられているため、部品数と組立工程数を減らすことができるという効果を奏する。また、器具カバー４００を裏面から見た場合、ネジ穴１２４等が見えることから、ナット１３１の締め忘れや、欠品が一目でわかるという効果を奏する。
【００３２】
実施の形態３．
実施の形態３について、図８を用いて説明する。図８は、実施の形態１で説明した器具カバー４００の他の例の側面図である。
実施の形態１で説明した器具カバー４００のカバー枠１００は、カバー枠取付部材１２０を折り曲げ加工することにより、連結部１２３によって階段状（Ｚ字形状）にカバー押え部１２１と取付部１２２を連結していたが、図８（ａ）のカバー枠１００の例では、カバー枠本体１１０ａに本体連結部１１８を設け、本体固定部１１１ａとカバー受部１１２ａとを階段状（Ｚ字形状）に連結している。意匠部１１４ａは、実施の形態１と同様に、カバー受部１１２ａから折り曲げ加工をすることにより、外側に張り出すように設けている。本体固定部１１１ａとカバー受部１１２ａとを階段状に連結することにより、本体固定部１１１ａと意匠部１１４との間に、ネジ１３０のねじ頭をいれる隙間１２６を設けている。
【００３３】
実施の形態３に係る器具カバー４００は、意匠面１５２を有するとともに器具の一面を覆う器具カバーにおいて、
光を透過するカバー１５０と、カバー１５０の意匠面１５２に対する裏面の周辺端部と係合するカバー押え部１２１と、カバー押え部１２１から連続してカバー１５０の外側に張り出し、ネジ１３０を挿入するネジ穴１２４を設けた取付部１２２とを有するカバー枠取付部材１２０と、カバー１５０の意匠面１５２に対する表面の周辺端部と係合するカバー受部１１２ａと、カバー１５０の外側に張り出し、カバー１５０の厚み方向でありカバーの意匠面１５２に対して裏側方向に向かって突出するようにカバー枠取付部材１２０のネジ穴１２４を通るネジ１３０を通す本体ネジ穴１１５ａを設けた本体固定部１１１ａと、カバー１５０の周辺端部の略厚みで、カバー受部１１２ａと本体固定部１１１ａとを階段状に連結する本体連結部１１１８と、カバー受部１１２ａから折り返し加工により形成されカバー１５０の外側方向に張り出す意匠部１１４ａとを有し、本体固定部１１１ａと意匠部１１４ａとの間にネジ１３０のねじ頭の高さ以上の隙間を設けたカバー枠本体１１０ａとを備えたことを特徴とする。
【００３４】
カバー枠取付部材１２０と係合する構造は、実施の形態１と同様に、本体固定部１１１ａを鍵穴加工することにより、本体ネジ穴１１５を本体固定部１１１ａの外辺から作成し、ネジ１３０により締め固める構造である。
本体ネジ穴１１５を、Ｌ字形状とし、ネジ１３０を固定する奥端（ネジ固定部１１６）を、隣接する他の本体ネジ穴１１５と対向若しくは反対向きとし、同じ方向（向き）としないことも実施の形態１に係るカバー枠本体１１０ａと同様である。
【００３５】
カバー枠本体１１０ａの形状をこのようにすることにより、カバー受部１１２ａと意匠部１１４ａの隙間を最小限にすることができ、カバー１５０の表面とカバー枠１００の表面（意匠部１１４ａ）との段差を小さくするという効果を奏する。
【００３６】
図８（ｂ）は、実施の形態１に係るカバー枠１００の別の例である。実施の形態１では、カバー枠本体１１０ａの折り返し部１１３の断面がＵ字形状であったが、図８（ｂ）に示すカバー枠本体１１０ａは、折り返し部１１３の形状がＶ字形状となっている。
図８（ｃ）に示すカバー枠本体１１０ａは、折り返し部１１３の形状がコの字形状となったものである。このように、折り返し部の断面形状は、ネジ１３０のねじ頭を入れることができる隙間１２６があれば、Ｖ字形状でも、コの字形状でも構わない。
【００３７】
実施の形態４．
実施の形態４について、図９を用いて説明する。
図９（ａ）〜図９（ｃ）は、実施の形態２で示す器具カバー４００の他の例の側面図である。
【００３８】
図９（ａ）に示す器具カバー４００のカバー枠１００は、実施の形態２と同様のカバー枠本体１１０ｂを備えている。実施の形態２で示す器具カバー４００のカバー枠１００とは、カバー枠取付部材１２０の形状が異なり、カバー押え部１２１と取付部１２２を一枚の板（例えば金属平板）として作成したもので、連結部１２３を設けず、折り返し加工により階段状としていない。その代わり、取付部１２２と同じ場所にネジ部１１７を通す通し穴１４１（図示していない）が設けてあるスペーサー１４０を有している。スペーサー１４０はカバー１５０と略同じ厚さであり、カバー枠取付部材１２０とカバー枠本体１１０ｂの間に設置される。このスペーサー１４０を間に挟むことにより、カバー枠取付部材１２０を階段状に加工することなく、カバー枠１００をカバー１５０に固定することが可能となる。また、スペーサー１４０は別部品とする必要はなく、カバー枠本体１１０ｂと一体となっていても構わないし、また、カバー枠取付部材１２０と一体となっていても構わない。
【００３９】
器具カバー４００を図９（ａ）に示す構造とすることにより、カバー枠取付部材１２０を階段加工することなくカバー枠１００を作成することができるという効果を奏する。
【００４０】
図９（ｂ）は、図９（ａ）と同様に、実施の形態２の器具カバー４００の他の例である。実施の形態２で示す器具カバー４００のカバー枠１００と同様にカバー枠本体１１０ｂとカバー枠取付部材１２０を備えているが、図９（ｂ）で示す器具カバー４００のカバー枠取付部材１２０の形状が異なる。カバー枠取付部材１２０のカバー押え部１２１と取付部１２２は連続して一枚の板として作成し、さらに、取付部１２２の外辺を折り曲げることにより支持板１４２を設けている。支持板１４２の高さは、カバー１５０の厚さと略同じ高さとする。支持板１４２の端は、カバー枠本体１１０ｂの本体固定部１１１ｂに係止され、ナット１３１により締め固められたとき、カバー枠取付部材１２０が撓むのを防ぐ。
【００４１】
カバー枠１００を図９（ｂ）のような構造とすることにより、カバー枠取付部材１２０を階段状に加工することなく、部品点数を少なくすることができるという効果を奏する。
【００４２】
次に図９（ｃ）に示す器具カバー４００について説明する。
図９（ｃ）に示したカバー枠１００は、上記の図９（ａ）、（ｂ）と同様に、実施の形態２のカバー枠１００の他の例である。実施の形態２のカバー枠１００と同様に階段状に加工したカバー枠取付部材１２０を有しているが、カバー枠本体１１０ｂの形状が異なる。カバー枠本体１１０ｂは、ネジ部１１７を設置した本体固定部１１１ｂを備え、カバー１５０と係合するカバー受部１１２ｂを有し、さらに、カバー受部の端部である折り返し部１１３ｂで外側に折り返して作成する意匠部１１４ｂが設けられている。意匠部１１４ａを有する実施の形態１に示したカバー枠１００と略同じ構造であるが、あらかじめネジ部１１７を本体固定部１１１ｂに有するため、ねじ頭を挿入するための隙間を設ける必要はない。本体固定部１１１ｂにネジ部１１７を設置する際に、本体固定部１１１ｂの表側に加工跡ができる場合があるが、意匠部１１４ｂを設けることにより、この加工跡を隠すことができる。即ち、ネジ部１１７をカバー枠本体１１０ｂの本体固定部１１１ｂに溶接により固定し、その後、折り返し加工を行い、意匠部１１４ｂを設置する。図９（ｃ）に示したカバー枠１００の構造とすれば、簡単な折り返し加工をすることで、この加工跡を隠すことができるという効果を奏する。
【００４３】
前記、図９（ａ）〜（ｃ）で示した、カバー枠本体１１０ｂおよびカバー枠取付部材１２０はそれぞれ、組み合わせてカバー枠１００を構成しても構わない。
【００４４】
本実施の形態で示した、器具カバー４００のカバー枠１００を用いれば、カバー１５０に取付ける際、ネジ部１１７をカバー１５０の面に対し垂直方向（カバー１５０の厚み方向、Ｄ方向）に設置しカバー１５０の裏面からナット１３１を締め固める構造であるため、カバー１５０の上方向からの組立作業を行うことができ、作業性が向上するという効果を奏する。また、カバー枠本体１１０ｂに直にネジ部１１７が取付けられているため、部品数と組立工程数を減らすことができるという効果を奏する。また、カバー１５０の裏面から見た場合、ネジ穴１２４等が見えることから、ナット１３１の締め忘れや、欠品が一目でわかるという効果を奏する。
さらに、部品点数を減らしたり、部材の加工を容易にしたり、加工跡を容易に隠すことができるという効果を奏する。
【００４５】
実施の形態５．
実施の形態５では、実施の形態１〜４の何れかに示した器具カバー４００を器具本体２００に取り付け、固定する方法の一例について、図１０を用いて説明する。図１０は、器具カバー４００を器具本体２００に取り付け固定する方法を示した分解斜視図である。
本実施の形態に係る器具カバー４００は、カバー枠本体１１０に係止部を有する。図１０に示した例では、器具カバー４００の長辺に４箇所の係止部４０１がある。各係止部４０１は２本の針金等でできた弾性体であり、先端がＬ字型に曲げられている。この先端は後述する器具本体２００に設置した係止受け部４０２に引っ掛けることが可能となっている。
また、器具本体２００には、各係止部４０１に対応した係止受け部４０２が設置されており、器具カバー４００に設置された係止部を係止させることにより、器具カバー４００を器具本体２００に取り付け固定する。
本実施の形態で示した係止部４０１及び係止受け部４０２は、係止するための手法の一例であり、容易に器具カバー４００を取り付ける手法であれば他の方法でもかまわない。
【００４６】
本実施の形態で示した係止部４０１を有する器具カバー４００を用いることにより、本実施の形態１〜４で示す器具カバー枠４００及びカバー枠１００を容易に照明器具３００（器具本体２００）に取り付けることができるという効果を奏する。
【図面の簡単な説明】
【００４７】
【図１】器具カバーを有する照明器具の外観の例を示す図である。
【図２】カバーにカバー枠を取り付けた状態実施の形態１に係る器具カバーの裏側平面図である。
【図３】実施の形態１に係る器具カバーの一部を拡大した分解斜視図である。
【図４】実施の形態１に係る器具カバーの一部を拡大したの側面図である。
【図５】実施の形態１に係る器具カバーのカバー枠が備えるカバー枠本体と本体ネジ穴の形状の例を示す平面図である。
【図６】実施の形態１に係る器具カバーの一部を拡大した分解斜視図でカバー枠の取付方法を示す図である。（ａ）は、取付前の状態を示す図、図６（ｂ）は取付後の状態を示す図である。
【図７】実施の形態２に係る器具カバーの分解斜視図の一部の拡大図である。
【図８】実施の形態３に係る器具カバーの例を示す側面図である。
【図９】実施の形態４に係る器具カバーの例を示す側面図である。
【図１０】実施の形態５に係る器具カバーを器具本体に取り付ける方法を示した分解斜視図である。
【符号の説明】
【００４８】
１００  カバー枠、１０９  テーパー部、１１０，１１０ａ，１１０ｂ  カバー枠本体、１１１ａ，１１１ｂ  本体固定部、１１２ａ，１１２ｂ  カバー受部、１１３  折り返し部、１１４ａ，１１４ｂ  意匠部、１１５，１１５ａ，１１５ｂ  本体ネジ穴、１１６  ネジ固定部、１１７  ネジ部、１１８  本体連結部、１１９  ネジ通過部、１２０  カバー枠取付部材、１２１  カバー押え部、１２２  取付部、１２３  連結部、１２４  ネジ穴、１３０  ネジ、１３１  ナット、１４０  スペーサー、１４１  通し穴、１４２  支持板、１５０  カバー、１５１  緩衝材、１５２  意匠面、２００  器具本体、３００  照明器具、４００  器具カバー、４０１  係止部、４０２  係止受け部。
【図１】
2007258130.tif 000003
【図２】
2007258130.tif 000004
【図３】
2007258130.tif 000005
【図４】
2007258130.tif 000006
【図５】
2007258130.tif 000007
【図６】
2007258130.tif 000008
【図７】
2007258130.tif 000009
【図８】
2007258130.tif 000010
【図９】
2007258130.tif 000011
【図１０】
2007258130.tif 000012